(57)【特許請求の範囲】
【請求項１】
ワイヤハーネスに接続されたコネクタを保持するプロテクタであって、
プロテクタ本体と、該プロテクタ本体に着脱自在に組み付けられるプロテクタカバーと、を備えるプロテクタにおいて、
前記プロテクタ本体が、前記コネクタを保持するコネクタ保持部と、
該コネクタ保持部に一部が対向して配置され、該コネクタ保持部とで前記コネクタを仮保持するコネクタ仮保持部と、
を備え、
前記コネクタ保持部が、前記コネクタの周りの半周を覆うように凹状部を形成され、
前記コネクタ仮保持部が、前記コネクタ保持部の一端部との間にコネクタ挿入口を形成し、前記コネクタの挿入時に前記コネクタ挿入口が拡径するための前記コネクタ保持部の他端部に設けられた回動支点部を介して前記コネクタ保持部に連続して形成されていることを特徴とするプロテクタ。
【請求項２】
前記コネクタの対向したハウジング面上に一対の係合部受が形成されるとともに、前記コネクタ保持部に一方の係合部受に係合されるコネクタ保持部側係合部が形成され、前記コネクタ仮保持部に他方の係合部受に係合されるコネクタ仮保持部側係合部が前記コネクタ保持部側係合部に対向した位置に形成されていることを特徴とする請求項１に記載したプロテクタ。
【請求項３】
前記プロテクタカバーが、前記コネクタ仮保持部を覆って前記プロテクタ本体に組み付けられることを特徴とする請求項１または請求項２に記載したプロテクタ。
【発明の詳細な説明】
【技術分野】
【０００１】
本発明は、ワイヤハーネスを接続したコネクタを着脱自在に保持するプロテクタに関する。
【背景技術】
【０００２】
従来のプロテクタとして、可動片を有する突起部がコネクタハウジング側の係止枠に係合されることでコネクタを保持するものが知られている（例えば、特許文献１参照）。
【０００３】
図８に示したプロテクタ１００は、ワイヤハーネス１３０が接続されたコネクタ１２０を組み付ける際に、プロテクタ１００の左右のガイド部１０１にコネクタ１２０を載せてから、コネクタ１２０をプロテクタ１００に向けて押し込むことで、プロテクタ１００の可動片１０２にコネクタ１２０の係止枠１２１が入り込み、可動片１０２の突起部１０３が係止枠１２１に係止して組み付けられる。
【０００４】
【特許文献１】特開平９−３５８１１号公報（図１）
【発明の開示】
【発明が解決しようとする課題】
【０００５】
ところが、上記プロテクタ１００は、コネクタ１２０の組付け作業時に、作業者は一方の手でプロテクタ１００を持ち、他方の手でコネクタ１２０を持ちながらプロテクタ１００に押し込まなければならない。そのため、プロテクタ１００にプロテクタカバーを取り付けることでコネクタ１２０を保護するようにする形態の場合に、そのプロテクタカバーを持つことができないので、一人で作業を行うことが難しく、作業性が良好ではない。
【０００６】
本発明は、上述した事情に鑑みてなされたものであり、その目的は、作業性の飛躍的な向上を図ることができるプロテクタを提供することにある。
【課題を解決するための手段】
【０００７】
１）本発明に係るプロテクタは、ワイヤハーネスに接続されたコネクタを保持するプロテクタであって、
プロテクタ本体と、該プロテクタ本体に着脱自在に組み付けられるプロテクタカバーと、を備えるプロテクタにおいて、
前記プロテクタ本体が、前記コネクタを保持するコネクタ保持部と、
該コネクタ保持部に一部が対向して配置され、該コネクタ保持部とで前記コネクタを仮保持するコネクタ仮保持部と、
を備え、
前記コネクタ保持部が、前記コネクタの周りの半周を覆うように凹状部を形成され、
前記コネクタ仮保持部が、前記コネクタ保持部の一端部との間にコネクタ挿入口を形成し、前記コネクタの挿入時に前記コネクタ挿入口が拡径するための前記コネクタ保持部の他端部に設けられた回動支点部を介して前記コネクタ保持部に連続して形成されていることを特徴とする。
【０００８】
上記１）に記載した本発明のプロテクタによれば、プロテクタ本体が、コネクタを保持するコネクタ保持部と、該コネクタ保持部に一部が対向して配置され、該コネクタ保持部とでコネクタを仮保持するコネクタ仮保持部とを備えているので、コネクタの組付け作業に際し、コネクタ保持部とコネクタ仮保持部とでコネクタを仮保持した状態で、プロテクタカバーをプロテクタ本体に組み付けることができる。これにより、作業者は、コネクタが仮保持されているプロテクタ本体を一方の手で持ち、他方の手でプロテクタカバーを持ってプロテクタ本体へ組み付けることができるため、組み付け作業を効率良く行うことができる。
【００１０】
また、上記１）に記載した本発明のプロテクタによれば、前記コネクタ保持部が、前記コネクタの周りの半周を覆うように断面Ｕ字状に形成され、前記コネクタ仮保持部が、前記コネクタ保持部の一端部との間にコネクタ挿入口を形成し、前記コネクタの挿入時に前記コネクタ挿入口が拡径するための前記コネクタ保持部の他端部に設けられた回動支点部を介して前記コネクタ保持部に連続して形成されているので、コネクタの仮保持に際して、コネクタ仮保持部の回動支点部を支点として、コネクタ仮保持部を拡径させながらコネクタを滑り込ませるように押圧挿入するだけで行えるため、コネクタを簡単に仮保持することができる。また、コネクタ仮保持部がコネクタ保持部に連続して形成されているため、プロテクタを成形するための金型形状の小変更でもってプロテクタの成形時にコネクタ仮保持部を一体成形することができるので、生産性の向上を図ることができる。また、回動支点部を設けることにより、回動部分を特定の部位に設定できるため、他の部位には余計な負荷が加わらず、プロテクタとしての品質を損なうことがない。
【００１１】
２）本発明に係るプロテクタは、上記１）に記載のプロテクタにおいて、前記コネクタの対向したハウジング面上に一対の係合部受が形成されるとともに、前記コネクタ保持部に一方の係合部受に係合されるコネクタ保持部側係合部が形成され、前記コネクタ仮保持部に他方の係合部受に係合されるコネクタ仮保持部側係合部が前記コネクタ保持部側係合部に対向した位置に形成されていることを特徴とする。
【００１２】
上記２）に記載した本発明のプロテクタによれば、コネクタの対向したハウジング面上に一対の係合部受が形成されるとともに、コネクタ保持部に一方の係合部受に係合されるコネクタ保持部側係合部が形成され、コネクタ仮保持部に他方の係合部受に係合されるコネクタ仮保持部側係合部がコネクタ保持部側係合部に対向した位置に形成されているので、コネクタの仮保持に際して、一方の係合部受をコネクタ保持部のコネクタ保持部側係合部に係合させておき、他方の係合部受をコネクタ仮保持部のコネクタ仮保持部側係合部に係合させることで、コネクタの一対の係合部受が両係合部に支持される。これにより、コネクタを脱落させずに確実に仮保持することができる。
【００１３】
３）本発明に係るプロテクタは、上記１）または２）に記載のプロテクタにおいて、前記プロテクタカバーが前記コネクタ仮保持部を覆って前記プロテクタ本体に組み付けられることを特徴とする。
【００１４】
上記３）に記載した本発明のプロテクタによれば、プロテクタカバーがコネクタ仮保持部を覆ってプロテクタ本体に組み付けられることで、コネクタ仮保持部のコネクタへの保持力を増強して、外れることなくコネクタを保護することができる。
【発明の効果】
【００１５】
本発明のプロテクタによれば、プロテクタカバーを持つことができないので一人で作業を行なえず作業性が良好ではない、という問題を解決でき、これにより、作業性の飛躍的な向上を図ることができるプロテクタを提供することができるという効果が得られる。
【発明を実施するための最良の形態】
【００１６】
以下、本発明に係る好適な実施の形態例を図面に基づいて詳細に説明する。
【００１７】
図１は本発明のプロテクタの一実施形態の分解斜視図、図２は図１に示すプロテクタのプロテクタカバー組付け前のＩ−Ｉ線断面図、図３は図１に示すプロテクタのプロテクタカバー組付け後の外観斜視図、図４は図３に示すプロテクタのII−II線断面図、図５は図１に示すプロテクタに組み付けられるコネクタの外観斜視図、図６は図１に示すプロテクタのコネクタ組付け手順を説明する第１段階の外観斜視図、図７は図１に示すプロテクタのコネクタ組付け手順を説明する第２段階の外観斜視図である。
【００１８】
図１及び図２に示すように、本発明の一実施形態であるプロテクタ１０は、コネクタ保持部１２が形成されたプロテクタ本体１１と、コネクタ仮保持部１４が形成された可撓片１３と、プロテクタカバー１５と、を備えており、若干の弾性変形が可能な樹脂素材で成形されている。
【００１９】
プロテクタ本体１１は、全体としてＬ字形状の外観を有し、断面視Ｕ字形状のベース部１６と、このベース部１６にヒンジ１７によって連結されたアンダーカバー１８と、を備えている。ベース部１６は、内側にワイヤハーネス収容部１９が形成されており、ワイヤハーネス収容部１９は、ヒンジ１７を介してアンダーカバー１８が回動され、アンダーカバー１８の端部に形成されているフック２０が、ベース部１６に形成されているフック受２１に係合されることで閉塞される。
【００２０】
プロテクタ本体１１の上端部にコネクタ保持部１２が形成されている。コネクタ保持部１２は、２個の凹状に湾曲した曲面形状にしてプロテクタ本体１１の上下方向に長さを有して形成されており、中央部にコネクタ保持部側係合部２２が突出形成されている。
【００２１】
また、プロテクタ本体１１は、コネクタ保持部１２の外周部の対向位置に２個のプロテクタカバー係止部受２３が形成されている。
【００２２】
可撓片１３は、プロテクタ本体１１の端部に回動支点部２４を介して横方向にコネクタ保持部１２に連続して形成されており、内側にコネクタ仮保持部１４が形成されている。コネクタ仮保持部１４は、プロテクタ本体１１のコネクタ保持部１２の湾曲形状の１個に対向する単一の湾曲形状に形成されており、反回動支点部２４側に、プロテクタ本体１１のコネクタ保持部側係合部２２に対向したコネクタ仮保持部側係合部２５が突出形成されている。
【００２３】
コネクタ仮保持部１４は、可撓片１３が回動支点部２４を介してプロテクタ本体１１に連結されているために、先端部が押し広げられることで内径を大きくするように拡径される。
【００２４】
プロテクタカバー１５は、コ字形状に形成されており、側部から突出する２個の突出部２６の先端部に係止部２７がそれぞれ形成されている。
【００２５】
図３及び図４に示すように、プロテクタ１０は、プロテクタカバー１５の突出部２６がプロテクタ本体１１のプロテクタカバー係止部受２３に挿通されることで、プロテクタカバー１５の係止部２７がプロテクタカバー係止部受２３にそれぞれ係止されてプロテクタカバー１５が固定される。このとき、プロテクタカバー１５は、コネクタ仮保持部１４を有する可撓片１３を覆ってプロテクタ本体１１に固定されるために、可撓片１３とともに２重の保護構造を形成する。
【００２６】
図５に示すように、プロテクタ１０に保持されるコネクタ４０は、ハウジング４１に内蔵されている不図示の複数の端子に２本の電線５０がそれぞれ電気的に接続されている。電線５０は、不図示の車体に配索されている電気回路に電気的に接続される。コネクタ４０は、不図示の相手コネクタに接続されることで、端子のそれぞれが車体内で電装部品等のデバイスに電気的に接続され、車体側の電気回路の通電経路を形成する。
【００２７】
コネクタ４０は、ハウジング４１の側部の対向位置に、一対の係合部受４２が凹形状に形成されている。
【００２８】
次に、図６及び図７を参照して、コネクタ４０のプロテクタ１０への組付け手順について説明する。
【００２９】
先ず、図６に示すように、プロテクタ１０にコネクタ４０が仮保持される。この仮保持は、アンダーカバー１８が開放されている状態で、電線５０をプロテクタ本体１１のワイヤハーネス収容部１９に収容しながらコネクタ４０をプロテクタ本体１１と可撓片１３との間に押し込むことでなされる。
【００３０】
プロテクタ本体１１と可撓片１３との間にコネクタ４０が滑り込ませるように押し込まれていくと、可撓片１３が回動支点部２４を介して外側に撓むことでプロテクタ本体１１との間の空間が拡径され、コネクタ４０の一対の係合部受４２のうちのプロテクタ本体１１側の一方の係合部受４２が、プロテクタ本体１１のコネクタ保持部１２に有するコネクタ保持部側係合部２２に係合される。
【００３１】
次に、図７に示すように、コネクタ４０の一方の係合部受４２がコネクタ保持部側係合部２２に係合されたところで、可撓片１３が回動支点部２４を介して弾性復帰して、コネクタ仮保持部側係合部２５がコネクタ４０の他方の係合部受４２に係合される。
【００３２】
このとき、コネクタ４０は、一方の係合部受４２がコネクタ保持部１２のコネクタ保持部側係合部２２に係合され、他方の係合部受４２がコネクタ仮保持部１４のコネクタ仮保持部側係合部２５に係合されることで、対向位置で係合されてプロテクタ１０から脱落せずに保持される。
【００３３】
そして、作業者は、コネクタ４０が仮保持されているプロテクタ１０を一方の手で持ち、他方の手でプロテクタカバー１５を持ち、他方の手で持っているプロテクタカバー１５で可撓片１３を覆って、突出部２６をプロテクタ本体１１のプロテクタカバー係止部受２３に挿通させ、係止部２７をプロテクタカバー係止部受２３に係止させてプロテクタカバー１５を固定することでコネクタ４０を本固定することができる。
【００３４】
以上説明したように、プロテクタ１０によれば、コネクタ４０の組付け作業に際し、プロテクタ本体１１のコネクタ保持部１２とコネクタ仮保持部１４とでコネクタ４０を仮保持した状態で、プロテクタカバー１５をプロテクタ１０に組み付けることができる。これにより、作業者は、コネクタ４０が仮保持されているプロテクタ１０を一方の手で持ち、他方の手でプロテクタカバー１５を持ってプロテクタ１０への組み付けを行うことができるために、組み付け作業を効率良く行うことができる。
【００３５】
また、プロテクタ１０によれば、コネクタ４０の仮保持に際して、コネクタ仮保持部１４の回動支点部２４を支点として、コネクタ仮保持部１４が形成されている可撓片１３を拡径させながらコネクタ４０を滑り込ませるように押圧挿入するだけで行えるため、簡単に仮保持をすることができる。また、コネクタ仮保持部１４がコネクタ保持部１２に連続して形成されているため、プロテクタ１０を成形するための金型形状の小変更でもってプロテクタ１０の成形時にコネクタ仮保持部１４を一体成形することができる。これにより、生産性の向上を図ることができる。また、回動支点部２４を設けることにより、回動部分を特定の部位に設定できるため、他の部位には余計な負荷が加わらず、プロテクタ１０の品質を損なうことがない。
【００３６】
また、プロテクタ１０によれば、コネクタ４０の仮保持に際して、コネクタ４０の一対の係合部受４２のうちの一方をコネクタ保持部１４のコネクタ保持部側係合部２２に係合させておき、コネクタ４０の他方の係合部受４２にコネクタ仮保持部１４のコネクタ仮保持部側係合部２５を係合させることで、コネクタ４０の一対の係合部受４２が両係合部２２，２５に支持される。これにより、コネクタ４０を脱落させずに確実に仮保持することができる。
【００３７】
また、プロテクタ１０によれば、プロテクタカバー１５がコネクタ仮保持部１４を覆ってプロテクタ本体１１に組み付けられることで、コネクタ仮保持部１４のコネクタ４０への保持力を増強して、外れることなくコネクタ４０を保護することができる。
【００３８】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００３９】
【図１】本発明のプロテクタの一実施形態の分解斜視図である。
【図２】図１に示したプロテクタのプロテクタカバー組付け前のＩ−Ｉ線断面図である。
【図３】図１に示したプロテクタのプロテクタカバー組付け後の外観斜視図である。
【図４】図３に示したプロテクタのII−II線断面図である。
【図５】図１に示したプロテクタに組み付けられるコネクタの外観斜視図である。
【図６】図１に示したプロテクタのコネクタ組付け手順を説明する第１段階の外観斜視図である。
【図７】図１に示したプロテクタのコネクタ組付け手順を説明する第２段階の外観斜視図である。
【図８】従来のプロテクタの概観図である。
【符号の説明】
【００４０】
１０  プロテクタ
１１  プロテクタ本体
１２  コネクタ保持部
１４  コネクタ仮保持部
１５  プロテクタカバー
２２  コネクタ保持部側係合部
２４  回動支点部
２５  コネクタ仮保持部側係合部
４０  コネクタ
４２  係合部受
５０  電線（ワイヤハーネス）
【図１】
0004767056.tif 000002
【図２】
0004767056.tif 000003
【図３】
0004767056.tif 000004
【図４】
0004767056.tif 000005
【図５】
0004767056.tif 000006
【図６】
0004767056.tif 000007
【図７】
0004767056.tif 000008
【図８】
0004767056.tif 000009